Podtech/llm-jp-corpus-v4-ja_patent huggingface dataset:
【手続補正書】
【提出日】令和3年6月10日(2021.6.10)
【手続補正１】
【補正対象書類名】特許請求の範囲
【補正対象項目名】全文
【補正方法】変更
【補正の内容】
【特許請求の範囲】
【請求項１】
ＰＤ−１アンタゴニストと組み合わせて使用するための、細胞増殖障害を処置するための医薬組成物であって、
医薬組成物は、ベンゾ［ｂ］チオフェンＳＴＩＮＧアゴニストを含み、
ここで、ＰＤ−１アンタゴニストは、２１日毎に１回投与され；および
ベンゾ［ｂ］チオフェンＳＴＩＮＧアゴニストは、３から２８日毎に１回投与され；そして
ベンゾ［ｂ］チオフェンＳＴＩＮＧアゴニストは、式（Ｉａ）：
【化１】
2020529421.tif 000001
の化合物または薬学的に許容されるその塩から選択され、ここで
Ｒ１は、Ｈ、ハロゲン、ＯＲ６、Ｎ（Ｒ６）２、Ｃ１−Ｃ６アルキル、Ｃ１−Ｃ６ハロアルキル、ＯＲ６により置換されたＣ１−Ｃ６アルキル、Ｎ（Ｒ６）２により置換されたＣ１−Ｃ６アルキル、ＣＯＯＲ６およびＣ（Ｏ）Ｎ（Ｒ６）２よりなる群から選択され；
Ｒ２は、ハロゲン、ＣＮ、ＯＲ６、Ｎ（Ｒ６）２、ＣＯＯＲ６、Ｃ（Ｏ）Ｎ（Ｒ６）２、ＳＯ２Ｒ６、Ｃ１−Ｃ６アルキル、Ｃ１−Ｃ６ハロアルキル、ＯＲ６により置換されたＣ１−Ｃ６アルキル、Ｃ２−Ｃ６アルケニル、Ｃ２−Ｃ６ハロアルケニル、ＯＲ６により置換されたＣ２−Ｃ６アルケニル、Ｃ２−Ｃ６アルキニル、Ｃ２−Ｃ６ハロアルキニル、ＯＲ６により置換されたＣ２−Ｃ６アルキニル、Ｃ３−Ｃ６シクロアルキルならびにＯ、Ｓ、ＮおよびＮ（Ｒ６）よりなる群から選択される１から２個の環員を包含する３員から６員の複素環式環よりなる群から選択され；
Ｒ３は、ハロゲン、ＣＮ、ＯＲ６、Ｎ（Ｒ６）２、ＣＯＯＲ６、Ｃ（Ｏ）Ｎ（Ｒ６）２、ＳＯ２Ｒ６、Ｃ１−Ｃ６アルキル、Ｃ１−Ｃ６ハロアルキル、ＯＲ６により置換されたＣ１−Ｃ６アルキル、Ｃ２−Ｃ６アルケニル、Ｃ２−Ｃ６ハロアルケニル、ＯＲ６により置換されたＣ２−Ｃ６アルケニル、Ｃ２−Ｃ６アルキニル、Ｃ２−Ｃ６ハロアルキニル、ＯＲ６により置換されたＣ２−Ｃ６アルキニル、Ｃ３−Ｃ６シクロアルキルならびにＯ、Ｓ、ＮおよびＮ（Ｒ６）よりなる群から選択される１から２個の環員を包含する３員から６員の複素環式環よりなる群から選択され；
Ｒ４は、Ｈ、ハロゲン、ＯＲ６、Ｎ（Ｒ６）２、Ｃ１−Ｃ６アルキル、Ｃ１−Ｃ６ハロアルキル、ＯＲ６により置換されたＣ１−Ｃ６アルキル、Ｎ（Ｒ６）２により置換されたＣ１−Ｃ６アルキル、ＣＯＯＲ６およびＣ（Ｏ）Ｎ（Ｒ６）２よりなる群から選択され；
Ｒ５は、Ｈ、ハロゲン、ＯＲ６、Ｎ（Ｒ６）２、ＣＮ、Ｃ１−Ｃ６アルキル、Ｃ１−Ｃ６ハロアルキル、ＯＲ６により置換されたＣ１−Ｃ６アルキル、ＣＯＯＲ６およびＣ（Ｏ）Ｎ（Ｒ６）２から選択され；
各Ｒ６は、独立して、Ｈ、Ｃ１−Ｃ６アルキルおよびＣ１−Ｃ６ハロアルキルよりなる群から選択され；Ｘ１はＣ（Ｏ）であり；Ｘ２は（Ｃ（Ｒ８）２）（１−３）であり；
各Ｒ８は、独立して、Ｈ、ハロゲン、Ｃ１−Ｃ６アルキル、ＣＮ、ＯＲ６、Ｎ（Ｒ６）２、Ｃ１−Ｃ６ハロアルキル、Ｃ３−Ｃ６シクロアルキル、ＯＲ６により置換されたＣ１−Ｃ６アルキル、およびＮ（Ｒ６）２により置換されたＣ１−Ｃ６アルキルよりなる群から選択され；
２個のＲ８は、それらが結合している原子と一緒になって３員から６員の縮合環を形成してもよく；
２個のＲ８は、それらが結合している原子と一緒になって３員から６員のスピロ環を形成してもよく；
Ｘ３は、ＣＯＯＲ６、Ｃ（Ｏ）ＳＲ６、Ｃ（Ｓ）ＯＲ６、ＳＯ２Ｒ６およびＣ（Ｏ）Ｎ（Ｒ９）２よりなる群から選択され；そして
各Ｒ９は、独立して、Ｈ、ＣＯＯＲ６およびＳＯ２Ｒ６よりなる群から選択され；
ここで、Ｘ１−Ｘ２−Ｘ３がＸ１−ＣＨＲ８−Ｘ３またはＸ１−ＣＨＲ８ＣＨ２−Ｘ３であるとき、Ｒ２およびＲ３のうちの少なくとも１つは、ハロゲン、ＯＲ６、Ｃ１−Ｃ６アルキルおよびＣ１−Ｃ６ハロアルキルよりなる群からは選択されない、前記医薬組成物。
【請求項２】
細胞増殖障害が、がんである、請求項１に記載の医薬組成物。
【請求項３】
がんが、１以上の固形腫瘍またはリンパ腫として生じる、請求項２に記載の医薬組成物。
【請求項４】
がんが、進行性または転移性の固形腫瘍およびリンパ腫よりなる群から選択される、請求項２に記載の医薬組成物。
【請求項５】
がんが、悪性黒色腫、頭頸部扁平上皮癌、乳房腺癌およびリンパ腫よりなる群から選択される、請求項２に記載の医薬組成物。
【請求項６】
リンパ腫が、びまん性大細胞型Ｂ細胞リンパ腫、濾胞性リンパ腫、マントル細胞リンパ腫、小リンパ球性リンパ腫、縦隔大細胞型Ｂ細胞リンパ腫、脾臓辺縁帯Ｂ細胞リンパ腫、粘膜関連リンパ組織（ｍｕｃｏｓａ−ａｓｓｏｃｉａｔｅｄ  ｌｙｍｐｈｏｉｄ  ｔｉｓｓｕｅ、ｍａｌｔ）の節外性辺縁帯Ｂ細胞リンパ腫、節性辺縁帯Ｂ細胞リンパ腫、リンパ形質細胞性リンパ腫、原発性浸出液リンパ腫、バーキットリンパ腫、退形成性大細胞リンパ腫（原発性皮膚型）、退形成性大細胞リンパ腫（全身型）、末梢性Ｔ細胞リンパ腫、血管免疫芽細胞性Ｔ細胞リンパ腫、成人Ｔ細胞リンパ腫、節外性鼻型ＮＫ／Ｔ細胞リンパ腫、腸管症関連Ｔ細胞リンパ腫、ガンマ／デルタ肝脾Ｔ細胞リンパ腫、皮下脂肪織炎様Ｔ細胞リンパ腫、菌状息肉腫およびホジキンリンパ腫よりなる群から選択される、請求項３から５のいずれか一項に記載の医薬組成物。
【請求項７】
細胞増殖障害が、転移したがんである、請求項２に記載の医薬組成物。
【請求項８】
ＰＤ−１アンタゴニストが、抗ＰＤ−１モノクローナル抗体である、請求項１から７のいずれか一項に記載の医薬組成物。
【請求項９】
ＰＤ−１アンタゴニストが、ニボルマブ、ペンブロリズマブ、ピディリズマブおよびＡＭＰ−２２４よりなる群から選択される、請求項８に記載の医薬組成物。
【請求項１０】
ＰＤ−１アンタゴニストが、ニボルマブである、請求項９に記載の医薬組成物。
【請求項１１】
ＰＤ−１アンタゴニストが、ペンブロリズマブである、請求項９に記載の医薬組成物。
【請求項１２】
ベンゾ［ｂ］チオフェンＳＴＩＮＧアゴニストが：
【化２】
2020529421.tif 000002
または薬学的に許容されるその塩よりなる群から選択される、請求項１から１１のいずれか一項に記載の医薬組成物。
【請求項１３】
ＰＤ−１アンタゴニストが静脈内注入により投与され、そして、ベンゾ［ｂ］チオフェンＳＴＩＮＧアゴニストが、経口的に、静脈内注入により、腫瘍内注射によりまたは皮下注射により投与される、請求項１から１２のいずれか一項に記載の医薬組成物。
【手続補正書】
【提出日】令和3年6月25日(2021.6.25)
【手続補正１】
【補正対象書類名】特許請求の範囲
【補正対象項目名】全文
【補正方法】変更
【補正の内容】
【特許請求の範囲】
【請求項１】
組成物であって、
a) 式（Ａ）のアルコキシル化脂肪アルコール化合物
Ｒ1(ＯＣ2Ｈ4)n(ＯＣ3Ｈ6)m    （Ａ）
（式中、
Ｒ1は、Ｃ16〜Ｃ26アルキルまたはアルケニル基であり；
ｎは、前記化合物中に存在する-(ＯＣ2Ｈ4)-の式（Ａ）の１分子当たりの平均モル数であり且つ、15〜100であり；
ｍは、前記化合物中に存在する-(ＯＣ3Ｈ6)-の式（Ａ）の１分子当たりの平均モル数であり且つ、0〜20であり；
およびｎ＋ｍは＞15である）と、
b) 式（Ｂ）のアルコキシル化脂肪アルコール化合物
Ｒ2(ＯＣ2Ｈ4)r(ＯＣ3Ｈ6)s    （Ｂ）
（式中、
Ｒ2は、Ｃ16〜Ｃ26アルキルまたはアルケニル基であり；
ｒは、前記化合物中に存在する-(ＯＣ2Ｈ4)-の式（Ｂ）の１分子当たりの平均モル数であり且つ、0.01〜14.99であり；
ｓは、前記化合物中に存在する-(ＯＣ3Ｈ6)-の式（Ｂ）の１分子当たりの平均モル数であり且つ、0.01〜14.99であり；および
ｒ＋ｓ≦15である）、
を含む組成物。
【請求項２】
前記Ｒ1およびＲ2は、脂肪アルコールまたは脂肪アルコールの混合物の残基であり、前記脂肪アルコールが、セチルアルコール、セトステアリルアルコール、パルミトレイルアルコール、ステアリルアルコール、イソステアリルアルコール、オレイルアルコール、アラキジルアルコール、ベヘニルアルコール、イソベヘニルアルコール、エルシルアルコール、リグンセリルアルコール、およびセロチニルアルコールから独立に選択される、請求項１に記載の組成物。
【請求項３】
ｎが15〜60であり且つ、ｍが0〜10である、請求項１または請求項２のいずれか一項に記載の組成物。
【請求項４】
ｒが0.1〜10であり且つ、ｓが0.05〜10である、請求項１〜３のいずれか一項に記載の組成物。
【請求項５】
前記式（Ｂ）の化合物が、次の式：
Ｒ2(ＯＣ2Ｈ4)r  （Ｂ′）および
Ｒ2(ＯＣ2Ｈ4)r(ＯＣ3Ｈ6)t  （Ｂ″）
（式中、
Ｒ2及びｒは、請求項１に従って定義され、および
ｔは、前記化合物中に存在する-(ＯＣ3Ｈ6)-の式（Ｂ″）の１分子当たりの平均モル数であり且つ、0.01〜14.99である）
を有する式（Ｂ′）と（Ｂ″）の成分の混合物であり得る、請求項１〜４のいずれか一項に記載の組成物。
【請求項６】
前記組成物が、式（Ｃ）のアルコキシル化脂肪アルコール化合物：
Ｒ3(ＯＣ2Ｈ4)x(ＯＣ3Ｈ6)r  （Ｃ）
（式中、
Ｒ3は、Ｃ16〜Ｃ26アルキルまたはアルケニル基であり；
xは、前記化合物中に存在する-(ＯＣ2Ｈ4)-の式（Ｃ）の１分子当たりの平均モル数であり且つ、0.01〜14.99であり；
yは、前記化合物中に存在する-(ＯＣ3Ｈ6)-の式（Ｃ）の１分子当たりの平均モル数であり且つ、0.01〜14.99であり；および
ｘ＋ｙ≦15≠ｒ＋ｓである）
を更に含む、請求項１〜５のいずれか一項に記載の組成物。
【請求項７】
前記成分ｂ)対成分a)の平均モル数が、0.1〜8：1の範囲内である、請求項１〜６のいずれか一項に記載の組成物。
【請求項８】
前記組成物が、最大10重量％の水を含む、請求項１〜７のいずれか一項に記載の組成物。
【請求項９】
前記組成物が0〜15 mg KOH/gの範囲内の酸価を有する、請求項1〜８のいずれか一項に記載の組成物。
【請求項１０】
前記組成物が50〜300 mg KOH/gの範囲内のヒドロキシル（OH）価を有する、請求項１〜９のいずれか一項に記載の組成物。
【請求項１１】
請求項１〜１０のいずれか一項に記載の組成物を含む乳化剤系。
【請求項１２】
請求項１〜１０のいずれか一項に記載の組成物または請求項１１に記載の乳化剤系を含む、パーソナルケア調合品。
【請求項１３】
前記組成物または乳化剤系の量が、全調合品の0.1〜10重量％の範囲内である、請求項１２に記載の調合品。
【請求項１４】
エマルションを安定化する方法であって、請求項１〜１０のいずれか一項に記載の組成物または請求項１１に記載の乳化剤を前記エマルションと混合する工程を含む方法。
【請求項１５】
エマルションを安定化させるための、請求項１〜１０のいずれか一項に記載の組成物または請求項１１に記載の乳化剤系の使用。
【手続補正書】
【提出日】令和3年8月6日(2021.8.6)
【手続補正１】
【補正対象書類名】特許請求の範囲
【補正対象項目名】全文
【補正方法】変更
【補正の内容】
【特許請求の範囲】
【請求項１】
式Ｉ：
【化１】
2020529457.tif 000001
の化合物であって、
Ｒ1及びＲ2のうちの１つがＮＨＲ9であり、かつ、１つがＨ及びＯＨから選択され；
Ｒ3、Ｒ4及びＲ5が、Ｈ、ＣＨ3及びＣ2Ｈ5からなる群から互いに独立して選択され；
Ｒ6がＣＨ3又はＣ2Ｈ5であり；
Ｒ7及びＲ8が、Ｈ、ＣＨ3、Ｃ2Ｈ5、ｎ−Ｃ3Ｈ7、
【化２】
2020529457.tif 000002
からなる群から互いに独立して選択され；かつ
Ｒ9がＨである、
化合物。
【請求項２】
Ｒ1〜Ｒ8が請求項１に定義される通りであり；かつ
Ｒ9がＬ−ＲＭ＊であり、Ｌがリンカーであり、ＲＭ＊がＲＭ及びＲＭ’から選択され、ＲＭが、標的化部分と共有結合を形成することができる反応性部分であり、かつ、ＲＭ’が、保護基を有する部分ＲＭである、
式Ｉの化合物。
【請求項３】
Ｒ1〜Ｒ8が請求項１に定義される通りであり；かつ
Ｒ9がＬ−ＴＭであり、Ｌがリンカーであり、かつ、ＴＭが標的化部分である、
式Ｉの化合物。
【請求項４】
前記リンカーＬが自壊性リンカーである、請求項２又は３に記載の化合物。
【請求項５】
前記標的化部分が、標的結合性抗体又はその機能的断片である、請求項２〜４のいずれか１項に記載の化合物。
【請求項６】
Ｒ1がＯＨであり、かつ、Ｒ2がＮＨＲ9である、請求項１〜５のいずれか１項に記載の化合物。
【請求項７】
Ｒ2が１６Ｒ−ＮＨＲ9である、請求項６に記載の化合物。
【請求項８】
Ｒ2が１６Ｓ−ＮＨＲ9である、請求項６に記載の化合物。
【請求項９】
Ｒ1がＮＨＲ9であり、かつ、Ｒ2がＯＨである、請求項１〜５のいずれか１項に記載の化合物。
【請求項１０】
請求項２に記載の化合物を合成する方法であって、請求項１に記載の化合物を前記アミノ基Ｒ1又はＲ2を介して化合物Ｘ−Ｌ’−ＲＭ＊と反応させるステップを含み、
Ｘが、（ｉ）アミンと反応することができる、又は（ｉｉ）アミンにより置換されることができる基であり；かつ
Ｌ’がリンカーであり；
前記部分Ｘ−Ｌ’との前記アミノ基の前記反応が部分−ＮＨ−Ｌ−ＲＭ＊の形成を結果としてもたらす、
方法。
【請求項１１】
ＲＭ＊がＲＭ’であり、前記方法が、前記部分ＲＭ’を脱保護してＲＭを結果としてもたらすことをさらに含む、請求項１０に記載の方法。
【請求項１２】
請求項２に記載の化合物を標的化部分と反応させるステップを含む、請求項３に記載の化合物を合成する方法。
【請求項１３】
請求項３に記載の化合物又は請求項１２に記載の方法により合成される化合物を含む、医薬組成物。
【請求項１４】
がんの治療において使用するための、請求項１３に記載の医薬組成物。
【手続補正書】
【提出日】令和3年7月20日(2021.7.20)
【手続補正１】
【補正対象書類名】特許請求の範囲
【補正対象項目名】全文
【補正方法】変更
【補正の内容】
【特許請求の範囲】
【請求項１】
被験体におけるコンピュータ断層撮影褐色および／またはベージュ脂肪組織（ＢＡＴ）によるｉｎ  ｖｉｖｏイメージング方法であって、一般式Ｉによる４〜２４の炭素原子を有するヨウ素化脂肪酸および／またはエステルおよび／または塩および／またはそれらの混合物の生体適合性ナノエマルジョンを含む造影剤を経口投与することを含む方法：
【化１】
2020529441.tif 000001
式中、ｎ＝２〜２２であり；
Ｒ１はＨまたはＩであり、ただしヨウ素原子の数は１〜６であり、前記ヨウ素原子は一つの原子に同種原子が二つ結合したものでも隣接でもなく；
かつ式中Ｒ２はＨ、不飽和または飽和、直鎖または分枝状アルキル、アルキル、アルコキシアルキル、ヒドロキシアルコキシアルキル、ポリヒドロキシアルキル、ヒドロキシポリアルキレンオキシアルキルである。
【請求項２】
一般式Ｉによる４〜２４個の炭素原子を有するヨウ素化脂肪酸および／またはエステルおよび／または塩および／またはそれらの混合物は、生体適合性ナノエマルジョンの形態である、請求項１に記載のＣＴによるｉｎ  ｖｉｖｏイメージング方法。
【請求項３】
前記造影剤が、前記被験体における褐色および／またはベージュ脂肪組織（ＢＡＴ）の活性の非侵襲的なｉｎ  ｖｉｖｏイメージング、定量化、および／またはモニタリングに適応される、請求項１または２に記載のＣＴによるｉｎ  ｖｉｖｏイメージング方法。
【請求項４】
前記造影剤が、一般式Ｉによる１０〜２０個の炭素原子を有するヨウ素化脂肪酸の生体適合性ナノエマルジョンからなる、請求項２または３に記載のＣＴによるｉｎ  ｖｉｖｏイメージング方法。
【請求項５】
前記造影剤が、一般式Ｉによる１６〜１８個の炭素原子を有するヨウ素化脂肪酸の生体適合性ナノエマルジョンからなる、請求項２〜４のいずれか一項に記載のＣＴによるｉｎ  ｖｉｖｏイメージング方法。
【請求項６】
前記ヨウ素化脂肪酸がヨウ素化リノレン酸である、請求項１〜５のいずれか一項に記載のＣＴによるｉｎ  ｖｉｖｏイメージング方法。
【請求項７】
前記ナノエマルジョンが、レシチン、脂肪アルコールとのポリエチレングリコールエーテル、ポリソルベートおよびソルビタンエステルまたはそれらの混合物の中から選択される生体適合性乳化剤を含む、請求項２〜６のいずれか一項に記載のＣＴによるｉｎ  ｖｉｖｏイメージング方法。
【請求項８】
前記ナノエマルジョン中の前記生体適合性乳化剤の量が、総ナノエマルジョンの５〜３０％（ｗ／ｗ）の間である、請求項７に記載のＣＴによるｉｎ  ｖｉｖｏイメージング方法。
【請求項９】
前記経口ＣＴ造影剤が、体重１グラム当たりヨウ素０．５〜１．６ｍｇに相当する用量で投与される、請求項１〜８のいずれか一項に記載のＣＴによるｉｎ  ｖｉｖｏイメージング方法。
【請求項１０】
被験体における心臓のコンピュータ断層撮影によるｉｎ  ｖｉｖｏイメージング方法であって、一般式Ｉによる４〜２４の炭素原子を有するヨウ素化脂肪酸および／またはエステルおよび／または塩および／またはそれらの混合物の生体適合性ナノエマルジョンを含む造影剤を経口投与することを含む方法：
【化２】
2020529441.tif 000002
式中、ｎ＝２〜２２であり；
Ｒ１はＨまたはＩであり、ただしヨウ素原子の数は１〜６であり、前記ヨウ素原子は一つの原子に同種原子が二つ結合したものでも隣接でもなく；
かつ式中Ｒ２はＨ、不飽和または飽和、直鎖または分枝状アルキル、アルキル、アルコキシアルキル、ヒドロキシアルコキシアルキル、ポリヒドロキシアルキル、ヒドロキシポリアルキレンオキシアルキルである。
【請求項１１】
一般式Ｉによる４〜２４個の炭素原子を有するヨウ素化脂肪酸および／またはエステルおよび／または塩および／またはそれらの混合物は、生体適合性ナノエマルジョンの形態である、請求項１０に記載のＣＴによるｉｎ  ｖｉｖｏイメージング方法。
【請求項１２】
前記造影剤が、一般式Ｉによる１６〜１８個の炭素原子を有するヨウ素化脂肪酸の生体適合性ナノエマルジョンからなる、請求項１１に記載のＣＴによるｉｎ  ｖｉｖｏイメージング方法。
【請求項１３】
前記ヨウ素化脂肪酸がヨウ素化リノレン酸である、請求項１０〜１２のいずれか一項に記載のＣＴによるｉｎ  ｖｉｖｏイメージング方法。
【請求項１４】
前記造影剤が、前記被験体における心臓の可視化およびその機能の評価のためのものである、請求項１０〜１３のいずれか一項に記載のＣＴによるｉｎ  ｖｉｖｏイメージング方法。
【請求項１５】
前記経口ＣＴ造影剤が、体重１グラム当たりヨウ素０．５〜１．６ｍｇに相当する用量で投与される、請求項１０〜１４のいずれか一項に記載のＣＴによるｉｎ  ｖｉｖｏイメージング方法。
【手続補正書】
【提出日】令和3年7月21日(2021.7.21)
【手続補正１】
【補正対象書類名】特許請求の範囲
【補正対象項目名】全文
【補正方法】変更
【補正の内容】
【特許請求の範囲】
【請求項１】
好酸球性食道炎（ＥｏＥ）を有する患者における食道伸展性を増加させる方法で使用するための、インターロイキン−４／インターロイキン−１３（ＩＬ−４／ＩＬ−１３）経路阻害剤を含む医薬組成物であって、前記患者は、食道に高倍率視野（ｈｐｆ）あたり１５個以上の好酸球のベースラインを有すること、およびプロトンポンプ阻害剤（ＰＰＩ）で以前に治療されていることに基づいて選択され；
前記ＩＬ−４／ＩＬ−１３経路阻害剤は、ＩＬ−４Ｒαに結合する抗体またはその抗原結合断片であり、前記抗体またはその抗原結合断片は、配列番号１のアミノ酸配列を含む重鎖可変領域（ＨＣＶＲ）の重鎖相補性決定領域（ＨＣＤＲ）、および配列番号２のアミノ酸配列を含む軽鎖可変領域（ＬＣＶＲ）の軽鎖相補性決定領域（ＬＣＤＲ）を含む、
上記医薬組成物。
【請求項２】
（ａ）患者は１２歳以上である；
（ｂ）患者は１８歳以上である；
（ｃ）患者は、高用量ＰＰＩで以前に治療されている；
（ｄ）患者は、少なくとも１回、以前に食道拡張を受けている；および／または
（ｅ）患者は、少なくとも週に２回の嚥下障害の発症を示す、
請求項１に記載の医薬組成物。
【請求項３】
患者は、以下：
（１）食道拡張、コルチコステロイド、アレルゲン離脱、および／もしくは食事の変更の少なくとも１つによる以前の治療；
（２）患者が、ＰＰＩまたは食道拡張による以前の治療に応答しないかもしくは抵抗性であること；
（３）患者が、３０以上、４０以上、もしくは５０以上である好酸球性食道炎の重症度および活動性指数（ＥＥｓＡＩ）スコアを有すること；
（４）患者が、少なくとも３年間、ＥｏＥに罹患していること；
（５）患者が、ＩＬ−４／ＩＬ−１３経路阻害剤の投与前もしくは投与時に、食物アレルギー、アトピー性皮膚炎、喘息、アレルギー性鼻炎、および／もしくはアレルギー性結膜炎からなる群から選択される疾患もしくは障害を有するかもしくは診断されていること；ならびに／または
（６）患者が、エオタキシン−３、ペリオスチン、血清ＩｇＥ（総およびアレルゲン特異的）、ＩＬ−１３、ＩＬ−５、血清胸腺および活性化調節ケモカイン（ＴＡＲＣ）、胸腺間質性リンホポエチン（ＴＳＬＰ）、血清好酸球性陽イオンタンパク質（ＥＣＰ）、および／もしくは好酸球由来神経毒（ＥＤＮ）からなる群から選択される少なくとも１つのバイオマーカーのレベルが上昇していること、
からなる群から選択される少なくとも１つの特徴を有する、請求項１または２に記載の医薬組成物。
【請求項４】
ＩＬ−４／ＩＬ−１３経路阻害剤の投与は、機能的内腔画像化プローブで測定した場合、食道伸展性のベースラインから少なくとも１０％の増加をもたらす、請求項１〜３のいずれか１項に記載の医薬組成物。
【請求項５】
（ａ）ＩＬ−４／ＩＬ−１３経路阻害剤は、約５０〜約６００ｍｇの用量で投与される；または
（ｂ）ＩＬ−４／ＩＬ−１３経路阻害剤は、約３００ｍｇの用量で投与され；
好ましくは、各用量は、直前の用量の1週間または２週間後に投与される、
請求項１〜４のいずれか１項に記載の医薬組成物。
【請求項６】
ＩＬ−４／ＩＬ−１３経路阻害剤は一次用量で投与され、その後、１回またはそれ以上の二次用量が投与され、各二次用量は、直前の用量の１〜４週間後に投与される、請求項１〜５のいずれか１項に記載の医薬組成物。
【請求項７】
（ａ）一次用量は、５０〜６００ｍｇのＩＬ−４／ＩＬ−１３経路阻害剤を含む；
（ｂ）各二次用量は、２５〜４００ｍｇのＩＬ−４／ＩＬ−１３経路阻害剤を含む；および／または
（ｃ）一次用量は、６００ｍｇのＩＬ−４／ＩＬ−１３経路阻害剤を含み、各二次用量は、３００ｍｇのＩＬ−４／ＩＬ−１３経路阻害剤を含み、好ましくは、各二次用量は、直前の用量の１週間後に投与される、もしくは、各二次用量は、直前の用量の２週間後に投与される、
請求項６に記載の医薬組成物。
【請求項８】
ＩＬ−４／ＩＬ−１３経路阻害剤の投与が、対象におけるＥｏＥ関連バイオマーカーレベルの減少をもたらし、好ましくは、前記ＥｏＥ関連バイオマーカーは、エオタキシン−３、ペリオスチン、（総およびアレルゲン特異的）血清ＩｇＥ、ＩＬ−１３、ＩＬ−５、血清ＴＡＲＣ、ＴＳＬＰ、血清ＥＣＰおよび／またはＥＤＮからなる群から選択される、請求項２〜７のいずれか1項に記載の医薬組成物。
【請求項９】
（ａ）患者は、食品に含有される食物アレルゲンに対してアレルギー反応を示し、前記食品が乳製品、卵、小麦、大豆、トウモロコシ、魚、甲殻類、ピーナッツ、木の実、牛肉、鶏肉、オート麦、大麦、豚肉、インゲン、リンゴおよび／もしくはパイナップルからなる群から選択される；ならびに／または
（ｂ）患者は、ダスト、花粉、カビ、植物、ネコ、イヌまたは昆虫に由来する非食物アレルゲンに対してアレルギー反応を示す、
請求項１〜８のいずれか１項に記載の医薬組成物。
【請求項１０】
ＩＬ−４／ＩＬ−１３経路阻害剤は、第２の治療薬または療法と組み合わせて投与され、前記第２の治療薬または療法は、ＩＬ−１ベータ阻害剤、ＩＬ−５阻害剤、ＩＬ−９阻害剤、ＩＬ−１３阻害剤、ＩＬ−１７阻害剤、ＩＬ−２５阻害剤、ＴＮＦアルファ阻害剤、エオタキシン−３阻害剤、ＩｇＥ阻害剤、プロスタグランジンＤ２阻害剤、免疫抑制薬、局所コルチコステロイド、経口コルチコステロイド、全身コルチコステロイド、吸入コルチコステロイド、グルココルチコイド、プロトンポンプ阻害剤、ＮＳＡＩＤ、食道拡張、アレルゲン除去、および／または食事管理からなる群から選択される、請求項１〜９のいずれか１項に記載の医薬組成物。
【請求項１１】
ＩＬ−４／ＩＬ−１３経路阻害剤は、皮下投与される、請求項１〜１０のいずれか１項に記載の医薬組成物。
【請求項１２】
（ａ）抗体およびその抗原結合断片は、３つのＨＣＤＲ（ＨＣＤＲ１、ＨＣＤＲ２およびＨＣＤＲ３）および３つのＬＣＤＲ（ＬＣＤＲ１、ＬＣＤＲ２およびＬＣＤＲ３）を含み、ＨＣＤＲ１は配列番号３のアミノ酸配列を含み；ＨＣＤＲ２は配列番号４のアミノ酸配列を含み；ＨＣＤＲ３は配列番号５のアミノ酸配列を含み；ＬＣＤＲ１は配列番号６のアミノ酸配列を含み；ＬＣＤＲ２は配列番号７のアミノ酸配列を含み；およびＬＣＤＲ３は配列番号８のアミノ酸配列を含む；または
（ｂ）抗体およびその抗原結合断片は、配列番号１のアミノ酸配列を含むＨＣＶＲと配列番号２のアミノ酸配列を含むＬＣＶＲとを含む、
請求項１〜１１のいずれか１項に記載の医薬組成物。
【請求項１３】
抗体またはその抗原結合断片は、配列番号９のアミノ酸配列を含む重鎖と配列番号１０のアミノ酸配列を含む軽鎖とを含む、請求項１２に記載の医薬組成物。
【請求項１４】
ＩＬ−４／ＩＬ−１３経路阻害剤がデュピルマブまたはその生物学的同等物である、請求項１〜１３のいずれか１項に記載の方法。
【手続補正書】
【提出日】令和3年7月29日(2021.7.29)
【手続補正１】
【補正対象書類名】特許請求の範囲
【補正対象項目名】全文
【補正方法】変更
【補正の内容】
【特許請求の範囲】
【請求項１】
代謝疾患の治療のための医薬組成物であって、ガボキサドールまたはその薬学的に許容される塩を、ＨｂＡ１ｃレベル、空腹時血漿グルコースレベル、２時間経口耐糖能試験（ＯＧＴＴ）結果レベルおよび随時血糖値の１以上を低下させるのに有効な量で含有する、医薬組成物。
【請求項２】
糖尿病が２型糖尿病である、請求項１に記載の医薬組成物。
【請求項３】
糖尿病が１型糖尿病である、請求項１に記載の医薬組成物。
【請求項４】
代謝疾患が前糖尿病である、請求項１に記載の医薬組成物。
【請求項５】
ＨｂＡ１ｃレベルが０．５％を超える量低下する、請求項１に記載の医薬組成物。
【請求項６】
ＨｂＡ１ｃレベルが１．０％を超える量低下する、請求項１に記載の医薬組成物。
【請求項７】
ガボキサドールまたはその薬学的に許容される塩を、０．０５ｍｇ〜３０．０ｍｇの範囲の量で含有する、請求項１に記載の医薬組成物。
【請求項８】
ガボキサドールまたはその薬学的に許容される塩を、ビグアナイド、ジペプチジルペプチダーゼ−４（ＤＰＰ−４）阻害薬、スルホニルウレア、チアゾリジンジオン、グリニド、α−グルコシダーゼ阻害薬、グルカゴン様ペプチド−１受容体アゴニスト、インスリンおよびインスリンアナログからなる群より選択される１以上の血糖降下剤と組み合わせて含有する、請求項１に記載の医薬組成物。
【請求項９】
ガボキサドールまたはその薬学的に許容される塩と１以上の血糖降下剤との組み合わせが、同じ用量のガボキサドールまたはその薬学的に許容される塩と、血糖降下剤をそれぞれ単独で投与した場合の相加効果よりも大きい治療的利益をもたらす、請求項８に記載の医薬組成物。
【請求項１０】
代謝性疾患および睡眠時無呼吸と診断された患者における代謝性疾患を治療するための医薬組成物であって、ガボキサドールまたはその薬学的に許容される塩を、睡眠時無呼吸の発作を減らすのに有効な量で含有する、医薬組成物。
【請求項１１】
糖尿病が２型糖尿病である、請求項１０に記載の医薬組成物。
【請求項１２】
糖尿病が１型糖尿病である、請求項１０に記載の医薬組成物。
【請求項１３】
代謝疾患が前糖尿病である、請求項１０に記載の医薬組成物。
【請求項１４】
ガボキサドールまたはその薬学的に許容される塩を、０．０５ｍｇ〜３０．０ｍｇの範囲の量で含有する、請求項１０に記載の医薬組成物。
【請求項１５】
ガボキサドールまたはその薬学的に許容される塩を、ビグアナイド、ジペプチジルペプチダーゼ−４（ＤＰＰ−４）阻害薬、スルホニルウレア、チアゾリジンジオン、グリニド、α−グルコシダーゼ阻害薬、グルカゴン様ペプチド−１受容体アゴニスト、インスリンおよびインスリンアナログからなる群より選択される１以上の血糖降下剤と組み合わせて含有する、請求項１０に記載の医薬組成物。
【請求項１６】
患者における、ＨｂＡ１ｃレベル、空腹時血漿グルコースレベル、２時間経口耐糖能試験（ＯＧＴＴ）結果レベルおよび随時血糖値の１以上を低下させるのに有効である、請求項１０に記載の医薬組成物。
【請求項１７】
ＨｂＡ１ｃレベルが０．５％を超える量低下する、請求項１６に記載の医薬組成物。
【請求項１８】
ＨｂＡ１ｃレベルが１％を超える量低下する、請求項１６に記載の医薬組成物。
【請求項１９】
ガボキサドールまたはその薬学的に許容される塩と１以上の血糖降下剤との組み合わせが、同じ用量のガボキサドールまたはその薬学的に許容される塩と、血糖降下剤をそれぞれ単独で投与した場合の相加効果よりも大きい治療的利益をもたらす、請求項１５に記載の医薬組成物。
【手続補正書】
【提出日】令和3年8月5日(2021.8.5)
【手続補正１】
【補正対象書類名】特許請求の範囲
【補正対象項目名】全文
【補正方法】変更
【補正の内容】
【特許請求の範囲】
【請求項１】
Ｅｎｔｅｒｏｃｏｃｃｕｓ属の細菌株を含む組成物であって、疾患を罹患していると診断された対象における微生物叢の多様性の向上及び／または安定化における使用のための前記組成物。
【請求項２】
（ａ）微生物叢の多様性の向上及び／または安定化が、対象の腸または遠位消化管におけるものである、並びに／あるいは
（ｂ）疾患が、マイクロバイオームの多様性の低下によって特徴付けられる、請求項１に記載の組成物。
【請求項３】
Ｅｎｔｅｒｏｃｏｃｃｕｓ属の細菌株を含む組成物であって、炎症性腸疾患、体重減少、潰瘍性大腸炎及びクローン病からなる群から選択される疾患の治療における使用のための、前記組成物。
【請求項４】
（ａ）シクロホスファミドと、（ｂ）Ｅｎｔｅｒｏｃｏｃｃｕｓ属の細菌株を含む組成物との組合せを含む医薬組成物であって、がん、炎症性障害または自己免疫障害の治療における使用のための、前記医薬組成物。
【請求項５】
Ｅｎｔｅｒｏｃｏｃｃｕｓが、Ｅｎｔｅｒｏｃｏｃｃｕｓ  ｈｉｒａｅではない、請求項４に記載の医薬組成物。
【請求項６】
シクロホスファミドが、
（ａ）１日当たり１０００ｍｇ以下、８００ｍｇ以下、５００ｍｇ以下または２００ｍｇ以下の投与量で投与される、あるいは
（ｂ）１日当たり１０〜５００ｍｇ、５０〜２５０ｍｇまたは８０〜１５０ｍｇの間の投与量で投与される、請求項４または５に記載の医薬組成物。
【請求項７】
シクロホスファミドが、経口投与される、請求項４〜６のいずれか１項に記載の医薬組成物。
【請求項８】
ａ）細菌株が、Ｅｎｔｅｒｏｃｏｃｃｕｓ  ｇａｌｌｉｎａｒｕｍもしくはＥｎｔｅｒｏｃｏｃｃｕｓ  ｃａｓｅｌｌｉｆｌａｖｕｓの細菌株であり、及び／または
ｂ）Ｅｎｔｅｒｏｃｏｃｃｕｓ  ｇａｌｌｉｎａｒｕｍもしくはＥｎｔｅｒｏｃｏｃｃｕｓ  ｃａｓｅｌｌｉｆｌａｖｕｓの細菌株の１６Ｓ  ｒＲＮＡ配列と少なくとも９５％、９６％、９７％、９８％、９９％、９９．５％もしくは９９．９％同一である１６Ｓ  ｒＲＮＡ配列を細菌株が有し、及び／または
ｃ）配列番号１、２もしくは５と少なくとも９５％、９６％、９７％、９８％、９９％、９９．５％もしくは９９．９％同一である１６Ｓ  ｒＲＮＡ配列を細菌株が有する、
請求項１〜３のいずれか１項に記載の組成物または請求項４〜７のいずれか１項に記載の医薬組成物。
【請求項９】
（ａ）配列番号２と少なくとも９５％、９６％、９７％、９８％、９９％、９９．５％もしくは９９．９％同一である１６Ｓ  ｒＲＮＡ配列を細菌株が有するか、または、配列番号２の１６Ｓ  ｒＲＮＡ配列を細菌株が有するか、あるいは、（ｂ）配列番号５と少なくとも９５％、９６％、９７％、９８％、９９％、９９．５％もしくは９９．９％同一である１６Ｓ  ｒＲＮＡ配列を細菌株が有するか、または配列番号５の１６Ｓ  ｒＲＮＡ配列を細菌株が有する、請求項１〜３及び８のいずれか１項に記載の組成物、または請求項４〜８のいずれか１項に記載の医薬組成物。
【請求項１０】
細菌株が、
ａ）受託番号ＮＣＩＭＢ４２４８８として寄託されたＥｎｔｅｒｏｃｏｃｃｕｓ  ｇａｌｌｉｎａｒｕｍ細菌及び／または
ｂ）受託番号ＮＣＩＭＢ４２７６１として寄託されたＥｎｔｅｒｏｃｏｃｃｕｓ  ｇａｌｌｉｎａｒｕｍ細菌及び／または
ｃ）Ｅｎｔｅｒｏｃｏｃｃｕｓ  ｃａｓｅｌｌｉｆｌａｖｕｓ細菌
である、請求項１〜３及び８〜９のいずれか１項に記載の組成物、または請求項４〜９のいずれか１項に記載の医薬組成物。
【請求項１１】
組成物が、
ａ）Ｃｌｏｓｔｒｉｄｉｕｍ種のレベルを低下させ、及び／または
ｂ）ＣｌｏｓｔｒｉｄｉｕｍクラスターＸＩＶａ由来の細菌のレベルを低下させ、及び／または
ｃ）Ｌａｃｈｎｏｓｐｉｒａｃｅａｅ種の細菌のレベルを上昇させ、及び／または
ｄ）Ｒｏｓｅｂｕｒｉａ種の細菌のレベルを上昇させ、及び／または
ｅ）Ｂａｒｎｅｓｉｅｌｌａ  ｉｎｔｅｓｔｉｎｉｈｏｍｉｎｉｓ種のレベルを上昇させ、及び／または
ｆ）ペントースリン酸経路と関連する少なくとも１つの代謝物のインビボでの形成を減少させる、
請求項１〜３及び８〜１０のいずれか１項に記載の組成物、または請求項４〜１０のいずれか１項に記載の医薬組成物。
【請求項１２】
ペントースリン酸経路の代謝物が、リボース５−リン酸、エリトロース４−リン酸及びセドヘプツロース７−リン酸からなる群から選択される、請求項１１（ｆ）に記載の組成物または医薬組成物。
【請求項１３】
組成物が、Ａｌｉｓｔｉｐｅｓ、Ｐｒｅｖｏｔｅｌｌａ、Ｐａｒａｂａｃｔｅｒｏｉｄｅｓ、Ｈａｌｌｅｌｌａ、Ａｎａｅｒｏｔｒｕｎｃｕｓ、Ｂａｃｔｅｒｏｉｄｅｓ、Ｆｌａｖｏｎｉｆｒａｃｔｏｒ、Ｃｌｏｓｔｒｉｄｉｕｍ  ＸＩＶｂ、Ｖａｍｐｉｒｏｖｉｂｒｉｏ、Ａｎａｅｒｏｐｌａｓｍａ及び／またはＢａｒｎｅｓｉｅｌｌａのうちの１または２以上のレベルを上昇させる、請求項１〜３及び８〜１２のいずれか１項に記載の組成物、または請求項４〜１２のいずれか１項に記載の医薬組成物。
【請求項１４】
ａ）組成物が、１または２以上の薬学的に許容される賦形剤もしくは担体を含み、及び／または
ｂ）細菌株が、凍結乾燥されており、及び／または
ｃ）細菌株が、生存可能であり、及び／または
ｄ）細菌株が、腸に部分的もしくは完全に定着できる、
請求項１〜３及び８〜１３のいずれか１項に記載の組成物、または請求項４〜１３のいずれか１項に記載の医薬組成物。
【請求項１５】
（ａ）Ｅｎｔｅｒｏｃｏｃｃｕｓの単一の株を含む、並びに／あるいは
（ｂ）組成物がＥｎｔｅｒｏｃｏｃｃｕｓを含み、及び、いずれかの他の属の細菌を含まないか、またはそのような他の細菌をわずかな量で含むに過ぎない、並びに／あるいは
（ｃ）組成物が、Ｅｎｔｅｒｏｃｏｃｃｕｓ  ｇａｌｌｉｎａｒｕｍを含み、及び、いずれかの他の種の細菌を含まないか、またはそのような他の細菌をわずかな量で含むに過ぎない、並びに／あるいは
（ｄ）Ｅｎｔｅｒｏｃｏｃｃｕｓを微生物コンソーシアムの一部として含む、請求項１〜３及び８〜１４のいずれか１項に記載の組成物、または請求項４〜１４のいずれか１項に記載の医薬組成物。
【請求項１６】
Ｂａｒｎｅｓｉｅｌｌａ  ｉｎｔｅｓｔｉｎｉｈｏｍｉｎｉｓ種のレベルを増加させ、かつ、がんを治療するためのシクロホスファミドと併用される、請求項１〜３及び８〜１５のいずれか１項に記載の組成物。
【請求項１７】
請求項１〜３及び８〜１６のいずれか１項に記載の組成物を含む食品またはワクチン。
【請求項１８】
Ｅｎｔｅｒｏｃｏｃｃｕｓ属の細菌株を含む、疾患を罹患していると診断された対象における微生物叢の多様性の向上剤及び／または安定化剤。
【請求項１９】
Ｅｎｔｅｒｏｃｏｃｃｕｓ属の細菌株を含む、炎症性腸疾患、体重減少、潰瘍性大腸炎及びクローン病からなる群から選択される疾患の治療剤。
【請求項２０】
（ａ）シクロホスファミドと、（ｂ）Ｅｎｔｅｒｏｃｏｃｃｕｓ属の細菌株とを含む、がん、炎症性障害または自己免疫障害の治療剤。
【手続補正書】
【提出日】令和3年2月2日(2021.2.2)
【手続補正１】
【補正対象書類名】特許請求の範囲
【補正対象項目名】全文
【補正方法】変更
【補正の内容】
【特許請求の範囲】
【請求項１】
計算された電気的パラメータに対して値の訂正を実行する目的のために構成された自己給電型パワー・センサ（ＳＰＰＳ）であって、
一次巻線が電力線である変流器と、
前記変流器の二次巻線に接続されたアナログ・デジタル変換器（ＡＤＣ）と、
無線送信機と、
前記ＡＤＣに接続されており、前記変流器の前記二次巻線からの電気信号をサンプリングし、前記サンプリングされた電気信号に基づき、タイムスタンプを推定し、少なくとも第１の電気的パラメータを推定し、パケットのプリアンブルを生成し、前記パケットの同期フィールドのために、同期情報を生成し、前記プリアンブルと前記同期フィールドと前記少なくとも第１の電気的パラメータとを含む前記パケットのコンポーネントを、前記送信機に、無線で中央コントローラに送信させ、前記タイムスタンプと前記同期情報の前記送信タイムスタンプとから計算される時間オフセット値を、前記パケットのために決定し、前記時間オフセット値を前記パケットに付加することによって、少なくとも第２の電気的パラメータを計算するために用いられる前記時間オフセット値を、前記送信機に送信させる、ように構成された処理装置と、
発振器と前記ＡＤＣと前記処理装置と前記送信機とに接続されたクロックと
を備える自己給電型パワー・センサ（ＳＰＰＳ）。
【請求項２】
前記第２の電気的パラメータは位相シフトである、請求項１に記載のＳＰＰＳ。
【請求項３】
前記第２の電気的パラメータは力率である、請求項１に記載のＳＰＰＳ。
【請求項４】
前記電気信号をサンプリングするステップと、前記サンプリングされた電気信号に基づいてタイムスタンプを推定するステップとは、
前記ＳＰＰＳによって電流信号をサンプリングするステップと、
電圧信号をサンプリングするステップと
を含む、請求項１に記載のＳＰＰＳ。
【請求項５】
電圧信号をサンプリングするステップは、前記中央コントローラによって実行される、請求項４に記載のＳＰＰＳ。
【請求項６】
前記サンプリングされた電流信号と前記サンプリングされた電圧信号との間の位相オフセットを決定するようにさらに構成されている、請求項４に記載のＳＰＰＳ。
【請求項７】
前記位相オフセットと、前記サンプリングされた電流信号と、前記サンプリングされた電圧信号とを用いて、力率を決定するようにさらに構成されている、請求項６に記載のＳＰＰＳ。
【請求項８】
前記サンプリングされた電流信号と前記サンプリングされた電圧信号とを用いて、前記力率に対する電流歪み因子を決定するようにさらに構成されている、請求項７に記載のＳＰＰＳ。
【請求項９】
前記力率に対する電圧歪み因子を決定するようにさらに構成されている、請求項７に記載のＳＰＰＳ。
【請求項１０】
前記第１の電気的パラメータは、前記電流信号のゼロ交差点におけるタイムスタンプである、請求項６に記載のＳＰＰＳ。
【請求項１１】
前記第１の電気的パラメータは、前記電流信号の最大点におけるタイムスタンプである、請求項６に記載のＳＰＰＳ。
【請求項１２】
前記第１の電気的パラメータは、前記電流信号の最小点におけるタイムスタンプである、請求項６に記載のＳＰＰＳ。
【請求項１３】
前記パケットのコンポーネントは、前記プリアンブルと、前記同期フィールドと、中央コントローラへの前記少なくとも第１の電気的パラメータとを含む、請求項１に記載のＳＰＰＳ。
【手続補正書】
【提出日】令和3年7月7日(2021.7.7)
【手続補正１】
【補正対象書類名】特許請求の範囲
【補正対象項目名】全文
【補正方法】変更
【補正の内容】
【特許請求の範囲】
【請求項１】
ユーザ機器(UE)によるワイヤレス通信のための方法であって、
アップリンク(UL)許可またはダウンリンク(DL)許可を求めてシステム帯域幅の狭帯域の中の制御チャネルを監視するステップと、
インターレースされたUL許可およびDL許可を受信するステップと、
前記受信されたインターレースされたUL許可およびDL許可に応答して情報を送るかまたは受信するステップと
を備える方法。
【請求項２】
前記インターレースされたUL許可およびDL許可を受信するステップが、UL許可の後の次の許可としてDL許可を受信するステップ、またはDL許可の後の次の許可としてUL許可を受信するステップのうちの少なくとも1つを備える、請求項1に記載の方法。
【請求項３】
前記インターレースされたUL許可およびDL許可が、前記インターレースされたUL許可およびDL許可に応答して情報を送るかまたは受信する前記ステップの開始の前に受信される、請求項1に記載の方法。
【請求項４】
前記UEが、制御チャネル探索空間を監視し、前記UL許可の後の次の許可として、かつ前記UL許可に応答してアップリンクデータチャネル上で情報を送る前記ステップの開始の後に、DL許可を受信する、請求項1に記載の方法。
【請求項５】
前記インターレースされたUL許可およびDL許可の各々が、1つまたは複数のハイブリッド自動再送要求(HARQ)プロセスをサポートする、請求項1に記載の方法。
【請求項６】
前記受信されたインターレースされたUL許可およびDL許可に応答して情報を送るかまたは受信する前記ステップに応答して衝突を識別するステップをさらに備え、前記衝突が、
ULデータチャネルとDLデータチャネルとの間の衝突、または
ULデータチャネルとハイブリッドARQ確認応答(HARQ-ACK)シグナリングとの間の衝突のうちの少なくとも1つを備える、
請求項1に記載の方法。
【請求項７】
前記衝突が、前記ULデータチャネルと前記DLデータチャネルとの間の前記衝突を備え、前記方法が、
前記ULデータチャネルおよび前記DLデータチャネルのうちの一方を使用すべきと決定するステップ、または
前記ULデータチャネルと前記DLデータチャネルとの間で衝突するサブフレームに対して、前記ULデータチャネルおよび前記DLデータチャネルのうちの一方の前記サブフレームを使用すべきと決定するステップのうちの少なくとも1つをさらに備える、
請求項6に記載の方法。
【請求項８】
前記UEが狭帯域モノのインターネット(NB-IoT)のために構成される、または、
前記UEが時分割複信(TDD)動作のために構成される、あるいは、
前記UEが周波数分割複信(FDD)動作のために構成される、請求項1に記載の方法。
【請求項９】
前記制御チャネルが狭帯域物理ダウンリンク制御チャネル(NPDCCH)を備える、請求項1に記載の方法。
【請求項１０】
情報を送る前記ステップが、前記受信されたUL許可に応答してアップリンクデータチャネルの中で情報を送るステップを備え、情報を受信する前記ステップが、前記DL許可に応答してダウンリンクデータチャネルの中で情報を受信するステップを備える、請求項1に記載の方法。
【請求項１１】
アップリンクデータチャネルが狭帯域物理アップリンク共有チャネル(NPUSCH)を備え、ダウンリンクデータチャネルが狭帯域物理ダウンリンク共有チャネル(NPDSCH)を備える、請求項1に記載の方法。
【請求項１２】
基地局(BS)によるワイヤレス通信のための方法であって、
システム帯域幅の狭帯域の中の制御チャネル上で、インターレースされたアップリンク許可(UL)およびダウンリンク(DL)許可をユーザ機器(UE)へ送信するステップと、
前記送信されたインターレースされたUL許可およびDL許可に応答して前記UEから情報を受信するかまたは前記UEへ情報を送るステップと
を備える方法。
【請求項１３】
ユーザ機器(UE)によるワイヤレス通信のための装置であって、
アップリンク(UL)許可またはダウンリンク(DL)許可を求めてシステム帯域幅の狭帯域の中の制御チャネルを監視するための手段と、
インターレースされたUL許可およびDL許可を受信するための手段と、
前記受信されたインターレースされたUL許可およびDL許可に応答して情報を送るかまたは受信するための手段と
を備える装置。
【請求項１４】
基地局(BS)によるワイヤレス通信のための装置であって、
システム帯域幅の狭帯域の中の制御チャネル上で、インターレースされたアップリンク許可(UL)およびダウンリンク(DL)許可をユーザ機器(UE)へ送信するための手段と、
前記送信されたインターレースされたUL許可およびDL許可に応答して前記UEから情報を受信するかまたは前記UEへ情報を送るための手段と
を備える装置。
【請求項１５】
ワイヤレス通信のための実行可能コードが記憶されたコンピュータ可読記憶媒体であって、前記実行可能コードが、ユーザ機器(UE)によって実行されると請求項１〜１１のいずれか一項に記載の方法を前記UEに実行させ、基地局によって実行されると請求項１２に記載の方法を前記基地局に実行させる、コンピュータ可読記憶媒体。
【手続補正書】
【提出日】令和3年2月16日(2021.2.16)
【手続補正１】
【補正対象書類名】特許請求の範囲
【補正対象項目名】全文
【補正方法】変更
【補正の内容】
【特許請求の範囲】
【請求項１】
データ複製をサポートする方法であって、
送信側デバイスが、受信側デバイスに複数の無線リンク制御プロトコルデータユニット（ＲＬＣ  ＰＤＵ：Ｒａｄｉｏ  Ｌｉｎｋ  Ｃｏｎｔｒｏｌ  Ｐｒｏｔｏｃｏｌ  Ｄａｔａ  ｕｎｉｔ）を送信することであって、前記複数のＲＬＣ  ＰＤＵのうちの少なくとも１つのＲＬＣ  ＰＤＵのＲＬＣヘッダ（ｈｅａｄｅｒ）には、現在のＲＬＣ  ＰＤＵに対応する無線ベアラを指示するための指示フィールドを含むことを含む、前記方法。
【請求項２】
前記指示フィールドは、論理チャネルの識別子（ＩＤ）を含む、
請求項１に記載の方法。
【請求項３】
前記少なくとも１つのＲＬＣ  ＰＤＵのＲＬＣヘッダは、前記少なくとも１つのＲＬＣ  ＰＤＵに対応するＲＬＣヘッダである、
請求項１又は２に記載の方法。
【請求項４】
前記ＲＬＣヘッダは、メディアアクセス制御（Ｍｅｄｉａ  Ａｃｃｅｓｓ  Ｃｏｎｔｒｏｌ：ＭＡＣ）を形成することに使用される、
請求項３に記載の方法。
【請求項５】
前記複数のＲＬＣ  ＰＤＵのうちの少なくとも２つのＲＬＣ  ＰＤＵは、異なる論理チャネルに対応し、および前記少なくとも２つのＲＬＣ  ＰＤＵは、同じ無線ベアラに対応する、
請求項１又は２に記載の方法。
【請求項６】
前記方法は、車両インターネット（ＩＯＶ）システムに適用される、
請求項１ないし５のいずれか一項に記載の方法。
【請求項７】
データ複製をサポートする方法であって、
受信側デバイスは、送信側デバイスによって送信される複数のＲＬＣ  ＰＤＵを受信することと、
前記受信側デバイスは、論理チャネルと無線ベアラとの間の対応関係にしたがって、前記複数のＲＬＣ  ＰＤＵ中の各ＲＬＣ  ＰＤＵに対応する無線ベアラを決定することとを含む、前記方法。
【請求項８】
前記複数のＲＬＣ  ＰＤＵのうちの少なくとも１つのＲＬＣ  ＰＤＵのＲＬＣヘッダには、現在のＲＬＣ  ＰＤＵに対応する無線ベアラを含む指示フィールドを含み、
前記論理チャネルと無線ベアラとの間の対応関係にしたがって、前記複数のＲＬＣ  ＰＤＵ中の各ＲＬＣ  ＰＤＵに対応する無線ベアラを決定することの前に、前記方法は、
前記少なくとも１つのＲＬＣ  ＰＤＵのＲＬＣヘッダに含まれる指示フィールドにしたがって、前記論理チャネルと前記無線ベアラとの間の対応関係を決定することをさらに含む、
請求項７に記載の方法。
【請求項９】
前記複数のＲＬＣ  ＰＤＵのうちの少なくとも１つのＲＬＣ  ＰＤＵのＲＬＣヘッダには、論理チャネルの識別子（ＩＤ）を含む指示フィールドを含み、
前記論理チャネルと無線ベアラとの間の対応関係にしたがって、前記複数のＲＬＣ  ＰＤＵ中の各ＲＬＣ  ＰＤＵに対応する無線ベアラを決定することの前に、前記方法は、
前記少なくとも１つのＲＬＣ  ＰＤＵのＲＬＣヘッダに含まれる指示フィールドにしたがって、前記論理チャネルと前記無線ベアラとの間の対応関係を決定することをさらに含む、
請求項７に記載の方法。
【請求項１０】
前記複数のＲＬＣ  ＰＤＵのうちの少なくとも２つのＲＬＣ  ＰＤＵは異なる論理チャネルに対応し、および前記少なくとも２つのＲＬＣ  ＰＤＵは同じ無線ベアラに対応する、
請求項７ないし９のいずれか一項に記載の方法。
【請求項１１】
前記方法は、車両インターネット（ＩＯＶ）システムに適用される、
請求項７ないし９のいずれか一項に記載の方法。
【請求項１２】
前記少なくとも１つのＲＬＣ  ＰＤＵのＲＬＣヘッダは、前記少なくとも１つのＲＬＣ  ＰＤＵに対応するＲＬＣヘッダである、
請求項８又は９のいずれか一項に記載の方法。
【請求項１３】
前記ＲＬＣヘッダは、メディアアクセス制御（Ｍｅｄｉａ  Ａｃｃｅｓｓ  Ｃｏｎｔｒｏｌ：ＭＡＣ）サブヘッダを形成することに使用される、
請求項１２に記載の方法。
【請求項１４】
送信側デバイスであって、
請求項１ないし６のいずれか一項に記載の方法を実行するように構成される、前記送信側デバイス。
【請求項１５】
受信側デバイスであって、
請求項７ないし１３のいずれか一項に記載の方法を実行するように構成される、前記受信側デバイス。
【手続補正書】
【提出日】令和3年4月20日(2021.4.20)
【手続補正１】
【補正対象書類名】特許請求の範囲
【補正対象項目名】全文
【補正方法】変更
【補正の内容】
【特許請求の範囲】
【請求項１】
反復単位Ａ、ただし反復単位Ａは
【化１】
2020529134.tif 000001
を含んでなり；
反復単位Ｂ、ただし反復単位Ｂは
【化２】
2020529134.tif 000002
または
【化３】
2020529134.tif 000003
を含んでなり；および
少なくとも１つの任意の反復単位Ｄ、ただし反復単位Ｄはアリール基を含んでなる、
を含んでなるコポリマーであって、
Ｘ1，Ｘ2，Ｘ3，およびＸ4は：Ｈ，Ｃｌ，Ｆ，ＣＮ、アルキル、アルコキシ、エステル、ケトン、アミドおよびアリール基からなる群から独立して選択され、そして
Ｒ1，Ｒ2，Ｒ3，Ｒ4，Ｒ5およびＲ6は：Ｈ，Ｃｌ，Ｆ，ＣＮ，アルキル、アルコキシ、アルキルチオ、エステル、ケトンおよびアリール基からなる群から独立して選択される前記コポリマー。
【請求項２】
アリール基が
【化４】
2020529134.tif 000004
およびそれらの組み合わせからなる群から選択され、Ｒ’およびＲ’’がＨ、Ｃｌ、Ｆ、ＣＮ、アルキル、アルコキシ、アルキルチオ、エステル、ケトンおよびアリール基からなる群から独立して選択される請求項１に記載のコポリマー。
【請求項３】
コポリマーがレジオ―ランダムである請求項１に記載のコポリマー。
【請求項４】
コポリマーがレジオ―レギュラーである請求項１に記載のコポリマー。
【請求項５】
アリール基が３，３’ジフルオロ−２，２’−ビチオフェンである請求項１に記載のコポリマー。
【請求項６】
コポリマーが反復単位Ｅ：
【化５】
2020529134.tif 000005
を含んでなる請求項１に記載のコポリマー。
【請求項７】
コポリマーが反復単位Ｆ：
【化６】
2020529134.tif 000006
を含んでなる請求項１に記載のコポリマー。
【請求項８】
コポリマーが反復単位Ｇ：
【化７】
2020529134.tif 000007
を含んでなる請求項１に記載のコポリマー。
【請求項９】
コポリマーが反復単位Ｈ：
【化８】
2020529134.tif 000008
を含んでなる請求項１に記載のコポリマー。
【請求項１０】
コポリマーが反復単位Ｊ：
【化９】
2020529134.tif 000009
を含んでなる請求項１に記載のコポリマー。
【請求項１１】
コポリマーが反復単位Ｋ：
【化１０】
2020529134.tif 000010
を含んでなる請求項１に記載のコポリマー。
【請求項１２】
コポリマーが太陽光発電材料として使用される請求項１に記載のコポリマー。
【請求項１３】
コポリマーが電子装置の活性層として使用される請求項１に記載のコポリマー。
【請求項１４】
反復単位Ａ、ＢおよびＣの数が約３から約１０，０００の範囲である請求項１に記載のコポリマー。
【請求項１５】
コポリマーが１．８ｅＶより大きいポリマーバンドギャップを形成する請求項1に記載のコポリマー。
【請求項１６】
反復単位Ｅ、ただし反復単位Ｅは
【化１１】
2020529134.tif 000011
を含んでなり；
反復単位Ｈ、ただし反復単位Ｈは
【化１２】
2020529134.tif 000012
を含んでなり；
任意の反復単位Ｊ、ただし反復単位Ｊは
【化１３】
2020529134.tif 000013
を含んでなり；および
反復単位Ｋ、ただし反復単位Ｋは
【化１４】
2020529134.tif 000014
を含んでなる、
を含んでなるコポリマーであって、
Ｘ1，Ｘ2，Ｘ3，およびＸ4は：Ｈ，Ｃｌ，Ｆ，ＣＮ、アルキル、アルコキシ、エステル、ケトン、アミドおよびアリール基からなる群から独立して選択され；
Ｒ1，Ｒ2，Ｒ3，およびＲ4は：Ｈ，Ｃｌ，Ｆ，ＣＮ，アルキル、アルコキシ、アルキルチオ、エステル、ケトンおよびアリール基からなる群から独立して選択され、そして
Ｄはアリール基を含んでなる前記コポリマー。
【請求項１７】
アリール基が
【化１５】
2020529134.tif 000015
およびそれらの組み合わせからなる群から選択され、Ｒ’およびＲ’’がＨ、Ｃｌ、Ｆ、ＣＮ、アルキル、アルコキシ、アルキルチオ、エステル、ケトンおよびアリール基からなる群から独立して選択される請求項１３に記載のコポリマー。
【請求項１８】
反復単位Ｆ、ただし反復単位Ｆは
【化１６】
2020529134.tif 000016
を含んでなり；
反復単位Ｇ、ただし反復単位Ｇは
【化１７】
2020529134.tif 000017
を含んでなり；
反復単位Ｊ、ただし反復単位Ｊは
【化１８】
2020529134.tif 000018
を含んでなり；および
反復単位Ｋ、ただし反復単位Ｋは
【化１９】
2020529134.tif 000019
を含んでなる、
コポリマーであって、
Ｘ1，Ｘ2，Ｘ3，およびＸ4は：Ｈ，Ｃｌ，Ｆ，ＣＮ、アルキル、アルコキシ、エステル、ケトン、アミドおよびアリール基からなる群から独立して選択され；
Ｒ5およびＲ6は：Ｈ，Ｃｌ，Ｆ，ＣＮ，アルキル、アルコキシ、アルキルチオ、エステル、ケトンおよびアリール基からなる群から独立して選択され、そして
Ｄはアリール基を含んでなる前記コポリマー。
【請求項１９】
アリール基が：
【化２０】
2020529134.tif 000020
およびそれらの組み合わせからなる群から選択され、Ｒ’およびＲ’’がＨ、Ｃｌ、Ｆ、ＣＮ、アルキル、アルコキシ、アルキルチオ、エステル、ケトンおよびアリール基からなる群から独立して選択される請求項１３に記載のコポリマー。